(57)【要約】【課題】保温性を向上させつつ、着心地の低下及び外観を損なうことを抑制させうるボトム衣類を提供することを課題とする。【解決手段】下腹部を覆う前面部と、臀部を覆う後面部と、前記前面部と前記後面部とを下端部で連結するクロッチ部とを有する衣類本体と、前記衣類本体の内面側に配置される内布とを備え、前記内布は、前記クロッチ部を覆うクロッチ被覆部と、前記前面部及び前記後面部の少なくともいずれか一方を覆う本体被覆部とを含み、前記内布と前記衣類本体とは接着によって接合され、前記内布の周縁端は端始末されていない切断端であり、前記クロッチ被覆部と前記本体被覆部とが分離し、前記本体被覆部は、前記前面部を覆う前面被覆部を有する。【選択図】図５０
2018145586.tif 000002
【特許請求の範囲】
【請求項１】
下腹部を覆う前面部と、臀部を覆う後面部と、前記前面部と前記後面部とを下端部で連結するクロッチ部とを有する衣類本体と、
前記衣類本体の内面側に配置される内布とを備え、
前記内布は、前記クロッチ部を覆うクロッチ被覆部と、前記前面部及び前記後面部の少なくともいずれか一方を覆う本体被覆部とを含み、
前記内布と前記衣類本体とは接着によって接合され、
前記内布の周縁端は端始末されていない切断端であり、
前記クロッチ被覆部と前記本体被覆部とが分離し、
前記本体被覆部は、前記前面部を覆う前面被覆部を有するボトム衣類。
【請求項２】
前記前面被覆部の幅は前記前面部の幅と一致しており、前記前面部の幅方向にわたって前記前面被覆部が配置されている、請求項１に記載のボトム衣類。
【発明の詳細な説明】
【技術分野】
【０００１】
本発明は、ボトム衣類に関する。
【背景技術】
【０００２】
ショーツ、ガードル等の女性用の下着等のボトム衣類には股部にあたる位置、すなわちクロッチ部に補強等のために内布が配置されている場合がある。
また、特に女性用の下着において下腹部や臀部の保温性を向上させる観点から、前記クロッチ部の補強等の内布とは別にボトム衣類の前面部や後面部に内布を配置することが考えられている。
【０００３】
かかる内布が配置されたボトム衣類としては、例えば、特許文献１または特許文献２に記載されている。
特許文献１には、下腹部側に配置される前身頃と臀部側に配置される後身頃とクロッチ部とからなる本体と、前記前身頃に配置された編地からなる補助体とを備えたボトム衣類が記載されている。補助体は、本体の前身頃の外面側において、脇線位置及びクロッチ部の前端部に縫着されることで取り付けられている。
特許文献２には、臀部側の後身頃が二重になっている重合編地から構成されているボトム衣類が記載されている。
これらのボトム衣類は、下腹部や臀部に当たる位置が二重構造になっているため、保温性が向上する。
【０００４】
しかしながら、特許文献１に記載のボトム衣類は、補助体が脇線位置及びクロッチ部において本体と縫着されているため縫目が形成される。かかる縫目の部分では、生地の厚みが厚くなったり、固くなったりするため、該縫目部分が身体に当たって着心地が低下するという問題がある。また、クロッチ部以外の体の前面側や臀部側にも縫目が形成されるため、着用時に比較的目立つ位置に縫目が位置することになり、縫目が上着の外側から認識されやすく、外観を損なうという問題もある。
【０００５】
特許文献２に記載のボトム衣類は、重合編地と本体編地とを接合するために、重合編地を構成する編糸の一部が本体編地の編目に通されて縫目を構成している。そのため、縫着した場合に形成される縫目よりは生地の厚みや硬さは軽減されるものの、やはり、編糸を網目に通した箇所に縫目が存在するため、着心地の低下は十分に抑制できず、縫目が上着の外側から認識されることも十分に抑制できない。
【先行技術文献】
【特許文献】
【０００６】
【特許文献１】特開２００２−１３８３０６号
【特許文献２】登録実用新案公報第３０７４７１２号
【発明の概要】
【発明が解決しようとする課題】
【０００７】
そこで、上記問題点に鑑み、本発明は、保温性を向上させつつ、着心地の低下を抑制し、外観を損ないにくいボトム衣類を提供することを課題とする。
【課題を解決するための手段】
【０００８】
本発明にかかるボトム衣類は、
下腹部を覆う前面部と、臀部を覆う後面部と、前記前面部と前記後面部とを下端部で連結するクロッチ部とを有する衣類本体と、
前記衣類本体の内面側に配置される内布とを備え、
前記内布は、前記クロッチ部を覆うクロッチ被覆部と、前記前面部及び前記後面部の少なくともいずれか一方を覆う本体被覆部とを含み、
前記内布と前記衣類本体とは接着によって接合され、
前記内布の周縁端は端始末されていない切断端であり、
前記クロッチ被覆部と前記本体被覆部とが分離し、
前記本体被覆部は、前記前面部を覆う前面被覆部を有する。
【０００９】
本発明のボトム衣類は、クロッチ部を覆うクロッチ被覆部と、前記前面部及び前記後面部の少なくともいずれか一方を覆う本体被覆部とを含む内布が、衣類本体の内面側に配置されているため、該内布が配置されている箇所において生地が積層され、保温性が向上する。また、前記内布と前記衣類本体とが接着によって接合されているため、衣類本体と内布との接合位置において縫着する必要がなくなり縫目が不要になる。そのため、着心地を損なうことがないと同時に、上着の上から認識されうる部分が少なくなり着用時に外観を損ないにくい。
さらに、前記内布の周縁端は端始末されていない切断端であるため、内布の周縁端のラインが外側から認識されにくい。すなわち、上着の上から認識されうる部分が少なくなり着用時に外観を損ないにくい。
【００１０】
前記クロッチ被覆部と前記本体被覆部とが分離していると、クロッチ被覆部の動きに本体被覆部が連動しにくくなるため、運動時等のようにクロッチ部が大きく動く場合に衣類本体の前面部又は／及び後面部が引っ張られることを抑制できる。よって、着心地が低下することをより抑制することができる。
【００１１】
前記本体被覆部が、前記前面部を覆う前面被覆部を有していると、特に下腹部の保温性を向上させることができる。
【００１２】
前記前面被覆部の幅は前記前面部の幅と一致しており、前記前面部の幅方向にわたって前記前面被覆部が配置されていてもよい。
【００１３】
斯かる構成により、前記前面部上部が補強されてかかる補強により下腹部の膨出を抑制する採用が生じやすい。よって、補正下着として機能することができる。
【発明の効果】
【００１４】
本発明によれば、保温性を向上させつつ、着心地の低下を抑制し、外観を損ないにくいボトム衣類を提供することができる。
【図面の簡単な説明】
【００１５】
【図１】一実施形態のボトム衣類の裏返した状態を示す正面図。
【図２】一実施形態のボトム衣類の裏返した状態を示す背面図。
【図３】一実施形態のボトム衣類の展開状態を示す正面図。
【図４】一実施形態のボトム衣類を示す正面図。
【図５】一実施形態のボトム衣類を示す背面図。
【図６】一実施形態のボトム衣類を示す右側面図。
【図７】図４のＩ−Ｉ線端面拡大図。
【図８】一実施形態のボトム衣類を示す拡大平面図。
【図９】一実施形態のボトム衣類を示す拡大底面図。
【図１０】他の実施形態のボトム衣類の裏返した状態を示す正面図。
【図１１】他の実施形態のボトム衣類の裏返した状態を示す背面図。
【図１２】他の実施形態のボトム衣類の展開状態を示す正面図。
【図１３】他の実施形態のボトム衣類を示す正面図。
【図１４】他の実施形態のボトム衣類を示す右側面図。
【図１５】図１３のＩＩ−ＩＩ線端面拡大図。
【図１６】他の実施形態のボトム衣類を示す拡大平面図。
【図１７】他の実施形態のボトム衣類を示す拡大底面図。
【図１８】他の実施形態のボトム衣類の裏返した状態を示す正面図。
【図１９】他の実施形態のボトム衣類の裏返した状態を示す背面図。
【図２０】他の実施形態のボトム衣類の展開状態を示す正面図。
【図２１】他の実施形態のボトム衣類を示す正面図。
【図２２】他の実施形態のボトム衣類を示す右側面図。
【図２３】図２１のＩＩＩ−ＩＩＩ線端面拡大図。
【図２４】他の実施形態のボトム衣類を示す拡大平面図。
【図２５】他の実施形態のボトム衣類を示す拡大底面図。
【図２６】他の実施形態のボトム衣類の裏返した状態を示す正面図。
【図２７】他の実施形態のボトム衣類の裏返した状態を示す背面図。
【図２８】他の実施形態のボトム衣類の展開状態を示す正面図。
【図２９】他の実施形態のボトム衣類を示す正面図。
【図３０】他の実施形態のボトム衣類を示す右側面図。
【図３１】図２９のＩＶ−ＩＶ線端面拡大図。
【図３２】他の実施形態のボトム衣類を示す拡大平面図。
【図３３】他の実施形態のボトム衣類を示す拡大底面図。
【図３４】他の実施形態のボトム衣類の裏返した状態を示す正面図。
【図３５】他の実施形態のボトム衣類の裏返した状態を示す背面図。
【図３６】他の実施形態のボトム衣類の展開状態を示す正面図。
【図３７】他の実施形態のボトム衣類を示す正面図。
【図３８】他の実施形態のボトム衣類を示す右側面図。
【図３９】図３７のＶ−Ｖ線端面拡大図。
【図４０】他の実施形態のボトム衣類を示す拡大平面図。
【図４１】他の実施形態のボトム衣類を示す拡大底面図。
【図４２】他の実施形態のボトム衣類の裏返した状態を示す正面図。
【図４３】他の実施形態のボトム衣類の裏返した状態を示す背面図。
【図４４】他の実施形態のボトム衣類の展開状態を示す正面図。
【図４５】他の実施形態のボトム衣類を示す正面図。
【図４６】他の実施形態のボトム衣類を示す右側面図。
【図４７】図４５のＶＩ−ＶＩ線端面拡大図。
【図４８】他の実施形態のボトム衣類を示す拡大平面図。
【図４９】他の実施形態のボトム衣類を示す拡大底面図。
【図５０】他の実施形態のボトム衣類の裏返した状態を示す正面図。
【図５１】他の実施形態のボトム衣類の裏返した状態を示す背面図。
【図５２】他の実施形態のボトム衣類の展開状態を示す正面図。
【図５３】他の実施形態のボトム衣類を示す正面図。
【図５４】他の実施形態のボトム衣類を示す右側面図。
【図５５】図５３のＶＩＩ−ＶＩＩ線端面拡大図。
【図５６】他の実施形態のボトム衣類を示す拡大平面図。
【図５７】他の実施形態のボトム衣類を示す拡大底面図。
【図５８】他の実施形態のボトム衣類の裏返した状態を示す正面図。
【図５９】他の実施形態のボトム衣類の裏返した状態を示す背面図。
【図６０】他の実施形態のボトム衣類の展開状態を示す正面図。
【図６１】他の実施形態のボトム衣類を示す正面図。
【図６２】他の実施形態のボトム衣類を示す右側面図。
【図６３】図６１のＶＩＩＩ−ＶＩＩＩ線端面拡大図。
【図６４】他の実施形態のボトム衣類を示す拡大平面図。
【図６５】他の実施形態のボトム衣類を示す拡大底面図。
【発明を実施するための形態】
【００１６】
以下、図面に基づいて本発明に係るボトム衣類の実施形態について説明する。尚、以下の図面において同一または相当する部分には同一の参照符号を付し、その説明は繰り返さない。
【００１７】
（実施形態１）
本実施形態のボトム衣類は、下腹部を覆う前面部と、臀部を覆う後面部と、前記前面部と前記後面部とを下端部で連結するクロッチ部とを有する衣類本体と、前記衣類本体の内面側に配置される内布とを備え、前記内布は、前記クロッチ部を覆うクロッチ被覆部と、前記前面部及び前記後面部の少なくともいずれか一方を覆う本体被覆部とを含み、前記内布と前記衣類本体とは接着によって接合され、前記内布の周縁端は端始末されていない切断端であるボトム衣類である。
【００１８】
本実施形態のボトム衣類１０については、図１乃至図９を参照して具体的に説明する。
本実施形態のボトム衣類１０は、例えば、女性用のショーツである。
ボトム衣類１０は、下腹部を覆う前面部１１と、臀部を覆う後面部１２と、前記前面部１１と前記後面部１２とを下端部で連結するクロッチ部１３とを有する衣類本体１と、前記衣類本体１の内面側に配置される内布２とを備えている。
【００１９】
尚、以下の説明において、上下方向とはボトム衣類を着用した場合に着用者の身長の方向を意味し、幅方向とは身体の幅方向を意味する。また、前後方向とは着用者の身体の前後方向を意味する。
【００２０】
衣類本体１は、前面部１１の両側縁部と後面部１２の両側縁部とが接合され、前面部１１の下端部とクロッチ部１３の前端部１３ａとが接合され、後面部１２の下端部とクロッチ部１３の後端部１３ｂとが接合されることで連結されている。
前面部１１の両側縁部と後面部１２の両側縁部とが接合された接合位置Ａ、Ａは、着用した際に着用者の両脇線となる位置Ｂ、Ｂよりも前面側に配置されている。すなわち、着用時には前側の両側部に後面部１２の両側部が配置されるように構成されている。
【００２１】
前面部１１と後面部１２とが接合位置Ａ、Ａで接合されることで、着用者の胴囲に配置される上部開口部１ａが形成され、前面部１１と後面部１２とクロッチ部１３とが接合されることで、両足の付け根の周囲に配置される下部開口部１ｂ、１ｂが形成されている。
つまり、上部開口部１ａは、前面部１１及び後面部１２の上端縁によって構成されており、下部開口部１ｂは、前面部１１及び後面部１２の下縁部及びクロッチ部１３の両側縁部によって構成されている。
【００２２】
内布２は、衣類本体１のクロッチ部１３の内面側を覆うクロッチ被覆部２１と、前記前面部１１及び前記後面部１２の少なくともいずれか一方の少なくとも一部を覆う本体被覆部２２とを含む。
本実施形態では、本体被覆部２２は、前面部１１の一部を覆う前面被覆部２２１と、後面部１２の一部を覆う後面被覆部２２２とを有する。
【００２３】
本実施形態の内布２のクロッチ被覆部２１は、衣類本体１のクロッチ部１３の内面側の略全面を覆う。
【００２４】
前面被覆部２２１は、クロッチ被覆部２１の前端部２１ａから前面側に延設されて前面部１１の上端部まで配置されている。
前面被覆部２２１の下端部（クロッチ被覆部２１との連結部）の幅はクロッチ部１３の前端部１３ａ及びクロッチ被覆部２１の前端部２１ａの幅と略等しく、上端縁２２１０の幅は前面部１１の上端縁の幅と等しい。前面被覆部２２１の両側縁２２１ａ，２２１ａは、クロッチ被覆部２１の前端部２１ａの両端から、前面部１１の上端縁の両端を結ぶ直線を構成するように形成されている。すなわち、前面被覆部２２１は、衣類本体１の前面部１１の内面側において、クロッチ部１３の前端部から前面部１１の上端部にかけて上方向に向かって広がるような形状に構成されている。
【００２５】
後面被覆部２２２は、クロッチ被覆部２１の後端部２１ｂから後面部１２の上端部まで延設されている。後面被覆部２２２の下端部（クロッチ被覆部２１との連結している部分）の幅はクロッチ部１３の後端部１３ｂ及びクロッチ被覆部２１の後端部２１ｂの幅と等しく、上端縁２２２０の幅は後面部１２の上端部の幅よりやや狭くなるよう構成されている。
後面被覆部２２２の両側部の上部には、両脇線に平行な直線部２２２１が形成され、該直線部２２２１の下端とクロッチ被覆部２１との接続位置の両端部との間に形成される後面被覆部２２２の両側縁２２２ａ，２２２ａは、後面被覆部２２２が上下方向の中央部がもっとも幅狭になるように湾曲した形状、つまり、後面被覆部２２２の幅方向の中央部を通る中心軸に向かって凸となるような曲線になるように形成されている。すなわち、後面被覆部２２２の両側縁２２２ａ，２２２ａは、着用者の両臀部の頂点を避けた位置であって、臀部の膨らみの周囲に沿って配置されるように構成されている。
【００２６】
本実施形態の内布２は、前記クロッチ被覆部２１と前記本体被覆部２２とが結合しているものである。
クロッチ被覆部２１と前記本体被覆部２２とが結合しているとは、例えば、クロッチ被覆部２１と本体被覆部２２とが一枚の生地から構成されていてもよく、あるいは、別の生地からなるクロッチ被覆部２１と前記本体被覆部２２とを、縫着、接着剤による接着、融着等による接着等の接合方法によって接合されていてもよい。
つまり、前記クロッチ被覆部２１と前記本体被覆部２２とが結合されているとは、クロッチ被覆部２１と前記本体被覆部２２とが連続する同一の周縁に囲まれた内布の領域内に含まれていることをいう。
【００２７】
内布２の周縁端は端始末されていない切断端である。
本実施形態において切断端とは、生地を切断したままの端縁のことをいう。また、端始末とは、切断端を折り返して縫着したり、テープ等の別布で端部を包んで縫着したりして生地の切断端縁がほつれないようにする処理をいう。
すなわち、端始末されていない切断端とは、前記のような端始末をせずに切断したままの生地の端縁をいう。
【００２８】
内布２の周縁端は、本実施形態においては、前面被覆部２２１、後面被覆部２２２及びクロッチ被覆部２１の周囲の端縁をいう。
より具体的には、図３に示す、前面被覆部２２１の上端縁２２１０、両側縁２２１ａ，２２１ａ、後面被覆部２２２の上端縁２２２０、両直線部２２２１、２２２１、両側縁２２２ａ，２２２ａ、クロッチ被覆部２１の両側縁２１ｃ、２１ｃとで形成される周縁端が端始末をせずに切断したままの端縁として形成されている。
【００２９】
内布２の周縁端が端始末されていない切断端であることで、内布２の周縁端に折り返し部や、テープ等の別布が存在しないため、生地の厚みが厚くなったり、硬くなって生地の伸縮性が阻害されない。よって、着用時に異物感がなく着心地が低下しにくくなる。
また、内布２の周縁端が端始末されていない切断端であることで内布の周端縁のラインが外側から見えにくいため、外観の低下を抑制できる。
【００３０】
内布の周縁端を切断端として形成する場合には、内布２を構成する生地として切断端がほつれにくい生地（きりっぱなし仕様の生地）を採用することが好ましい。
かかるきりっぱなし仕様の生地としては、例えば、熱融着繊維を他の繊維とともに編み込みこみヒートセット加工（熱セット加工）を施した生地等が挙げられる。かかる生地は、内布２を所定形状に裁断するだけで、裁断後にフチ縫い等の端部処理をしなくても、ほつれが生じることはない。
具体的には、ポリウレタン弾性繊維等の比較的低融点の熱融着性繊維と、該熱融着性繊維よりも高融点の他の繊維、例えば、綿、ポリエステル、ナイロン、ポリエチレン、キュプラ等とを含み、予め、熱融着性繊維の融点以上の温度であって且つ他の繊維の融点以下の温度でヒートセット加工（熱セット加工）されて、解れ止め処理された生地等が挙げられる。
熱融着性繊維と他の繊維との好ましい組み合わせを有する生地としては、熱融着性繊維としてポリウレタン、他の繊維として綿やレーヨンなどの保水性の高い繊維等を含む緯編地などが挙げられる。
【００３１】
より具体的には、内布２の生地としては、熱融着性または熱溶着性ポリウレタンのベア繊維糸（好ましくは２０〜５０デシテックス）と他の糸（綿糸またはナイロン糸）とをプレーティング編みにより編成後、ヒートセットによりポリウレタンのベア繊維糸を溶着させてきりっぱなし仕様に適合した緯編地等が挙げられる。
また、内布２の生地の組成としては、綿またはナイロンを６０％〜９５％、ポリウレタンを５％〜４０％（ただし２つの合計は１００％を超えない）等であることが好ましい。特に、生地の組成として綿を８０％以上含む場合には、肌ざわりがやさしく、吸水性と保温性（綿繊維の中空構造に由来）に優れた生地とすることができるため好ましい。
【００３２】
本実施形態の内布２を構成する生地としては、上述した熱融着性繊維と、前記他の繊維とを含む緯編地からなる生地が、伸縮性、吸水性及び通気性に優れているため特に好ましいが、本実施形態の内布２を構成する記事はこれに限定されるものではなく、きりっぱなし仕様の生地であればこれに限定されるものではない。
例えば、以下のような各生地が挙げられる。
（１）編組織が非弾性糸と弾性糸とを同行させた１×１編み組織であって、かつ各編針において非弾性糸と弾性糸のうちの少なくとも１方が閉じ目により編成された伸縮性たて編地等からなる生地（特開２００３−１４７６１８公報参照）。
（２）ニット生地であって、単位ニット生地間に低融点ナイロン糸を分離用糸として挿入編成して、該分離用糸を加熱溶融することで各単位ニット生地を切断するようにした生地（特開平１０−８３６１号公報参照）。
【００３３】
また、内布２は伸縮性の高い生地であることが好ましい。内布２が伸縮性の高い生地から構成されることで、着用時に身体にフィットしやすくなる。
尚、衣類本体１を構成する生地と内布２を構成する生地とは、同じ程度の伸縮性を有する生地であってもよく、異なる伸縮性を有する生地であってもよい。
例えば、内布２を、衣類本体１を構成する生地と同程度の伸縮性を有する生地から構成した場合には、身体によりフィットしやすくなり着心地がより向上する。
また、内布２を、衣類本体１を構成する生地よりも伸縮性の低い生地から構成した場合には、後述するように、内布２によって下腹部や臀部の形状を整える機能を発揮させやすくなる。
【００３４】
ボトム衣類１０の衣類本体を構成する生地としては、特に限定されるものではないが、例えば、綿、ナイロン等が挙げられ、前記内布２を構成する生地と同様のきりっぱなし仕様の生地を用いることが好ましい。
【００３５】
衣類本体１と内布２とは、該内布２の周縁端の付近（周縁端部）が内布と接着されることによって接合されている。本実施形態における接着とは、接着剤による接着、あるいは内布と衣類本体とを融着させることによる接着を含む。
衣類本体１と内布２とを接着によって接合することによって、縫着による接合に比べて縫目が存在しないことにより着心地の低下が抑制でき、且つ、衣類本体１と内布２との接合箇所が外側から見えにくいため外観の低下を抑制できる。
接着剤あるいは融着によって内布２を衣類本体１に接着する方法としては、例えば、内布２と衣類本体１との間にフィルム状またはリキッド状のホットメルト接着剤を介在させて、アイロン等の加熱具で内布２と衣類本体１とを加熱加圧することでホットメルト接着剤を溶融させ、その後、冷却・固化させることで内布２及び衣類本体１の両生地片を接着すること等が挙げられる。
【００３６】
内布２及び衣類本体１の両生地片を接着する方法としては公知の接着方法を採用できる。例えば、国際公開第２０１４／１０９３１８号に記載されているように、貼り合わせる両生地片を接着剤を介して貼り合わせる際に、接着剤をジグザク状、カーブ状等の所定形状に形成すること等が挙げられる。このように接着剤を所定形状にすることで、伸縮性を有する衣類本体１及び内布を伸縮性を阻害しないように貼り合わせることができ、着心地を向上させることができ、且つ生地本来の伸縮性による機能を発揮させやすくなる。
【００３７】
本実施形態において、衣類本体１と内布２とは内布２の周縁端部以外の部分においては接合されていない。すなわち、内布２の衣類本体１と重ねあわされている周縁端部以外の面においては衣類本体１と内布２とは離間した状態である。
このように、内布２の周縁端部以外の部分において衣類本体１と内布２とが離間した状態であることにより、衣類本体１と内布２との間に空気層を形成することができ、より保温性を向上させることができる。
【００３８】
上述のような本実施形態のボトム衣類１０は、クロッチ部１３を覆うクロッチ被覆部２１と衣類本体１の前面部１１及び後面部１２を覆う本体被覆部２２とを含み且つ衣類本体１の内面側に配置される内布２を備えている。このことにより、内布２が配置されている箇所において生地が積層されるため保温性が向上する。また、前記内布２と前記衣類本体１とが接着によって接合されているため、衣類本体１と内布２との接合位置において縫目が存在しない。よって、着心地の低下を抑制でき、上着の上から認識されうる部分が少なくなる。さらに、前記内布２の周縁端は端始末されていない切断端であるため、内布２の周縁端のラインが外側から認識されにくい。すなわち、上着の上から認識されうる部分が少なくなり外観を損なうことを抑制しうる。
【００３９】
また、本実施形態のボトム衣類１０は、内布２がクロッチ被覆部２１と本体被覆部２２とが結合しているため、内布を構成する部品点数が少なくなり衣類本体１と内布２との接合箇所を少なくすることができる。よって、着心地が低下することをより抑制することができる。
【００４０】
さらに、クロッチ被覆部２１と本体被覆部２２とが連結していることにより、以下のような作用が生じる。
すなわち、ボトム衣類１０を着用した場合に、下腹部や臀部の前後方向への膨出によって前面部１１、後面部１２が引っ張られて生地が伸張し、衣類本体１の内面側に配置された内布２の本体被覆部２２の生地もつられて伸張する。一方、クロッチ部１３は着用時には股の間に配置されるため伸張しにくい状態になる。従って、本体被覆部２２は、クロッチ部１３側ではクロッチ被覆部２１によって固定されて伸張が抑制される。このため、本体被覆部２２はクロッチ被覆部２１側において前後方向への伸張をある程度抑制する力が働き、下腹部や臀部の膨出を押圧する作用が生じる。
よって、腹部や臀部の膨出を補正する補正下着として機能しうる。
【００４１】
特に、内布２を構成する生地として、衣類本体１を構成する生地よりも伸縮性の低い生地を用いた場合には、より伸張を抑制しやすくなるため、下腹部や臀部の膨出を押圧する作用が高まる。
【００４２】
また、内布２が配置される箇所を変えることで、体の異なる部位を補正することが可能となる。
例えば、本体被覆部２２が、前面部１１を覆う前面被覆部２２１を有している場合には下腹部の膨出を補正する補正下着として機能しうる。
また、本体被覆部２２が、後面部１２を覆う後面被覆部２２２を有している場合には臀部の形状を整える補正下着として機能しうる。
この場合、前面被覆部２２１、後面被覆部２２２が前面部、後面部を覆う面積、覆う位置等は、補正したい箇所等に応じて適宜設定することができる。
【００４３】
本実施形態の後面被覆部２２２の両側縁２２２ａ，２２２ａは、着用した際に着用者の両臀部の膨らみの周囲に沿って配置されるように湾曲形状に形成されている。よって、両臀部の膨らみを押圧しないで、両臀部の周囲のみを押圧することで、ヒップアップの機能を発揮しうる。
【００４４】
（実施形態２）
本実施形態のボトム衣類１０については図１０乃至１７を参照して具体的に説明する。本実施形態のボトム衣類１０の前面部１１、後面部１２およびクロッチ部１３の構成は、図１乃至９に示す実施形態１におけるボトム衣類１０と同様であるが、内布２が、クロッチ被覆部２１と本体被覆部としての後面被覆部２２２’とから構成されている点において異なる。
【００４５】
本実施形態の後面被覆部２２２’は、クロッチ被覆部２１の後端部２１ｂから後側の両側方向に向かって延設されている。具体的には、後面被覆部２２２’はクロッチ被覆部２１との連結部分から幅方向の側方部において上方に向かってそれぞれ突出するように一対の両側部２２２Ａ、２２２Ａが形成されており、各両側部２２２Ａ、２２２Ａはそれぞれ両足の付け根の周囲に配置される下部開口部１ｂ、１ｂに沿って配置されている。後面被覆部２２２’の上端縁２２２ａ（両側部２２２Ａ、２２２Ａの上端縁）は、幅方向の両側部から中央部に向かって下がるように湾曲形状に形成されており、後面被覆部２２２’が着用者の臀部の下部の丸みに沿って配置されるように構成されている。すなわち、後面被覆部２２２’は、後面側から見た際に略Ｕの字形状になるように構成されている。
【００４６】
本実施形態のボトム衣類１０は、内布２が後面において下部開口部１ｂ、１ｂに沿った位置に配置されているため、ボトム衣類１０の下部開口部１ｂ、１ｂにおいて生地が積層されて補強される。従って、下部開口部１ｂ、１ｂの付近の生地が上方にずり上がることが抑制され、着心地の低下をより抑制できる。
【００４７】
本実施形態において、後面被覆部２２２’の形状は上述のようなクロッチ被覆部２１との連結部分から幅方向の側方部において両側の上方に向かって突出するように延出されている両側部２２２Ａ、２２２Ａを有する略Ｕの字形状であることに限定されるものではない。
例えば、本実施形態の変形例としては、図１８乃至２５に示すような、幅方向の中央部において上方に凸状となるような形状の後面被覆部２２２’’を有するボトム衣類１０であってもよい。
具体的には、後面部１２の幅方向の中央部を頂部Ｖとして、該頂部Ｖから両側部に向かって下がるような上端縁２２２ｂ、２２２ｂを有する上部が略三角形状の後面被覆部２２２''であって、前記上端縁２２２ｂ、２２２ｂは臀部の下部の丸みに中央部から側方部にかけて沿うような湾曲形状に形成されている。
【００４８】
かかる変形例のボトム衣類１０は、後面被覆部２２２''は頂部Ｖから両側部の間に形成されている前記上端縁２２２ｂ、２２２ｂを有するため、該上端縁２２２ｂ、２２２ｂによって臀部の丸みを下方から支えることができ、ヒップの形状を立体的に見えるように整えることが可能になる。
【００４９】
本実施形態の別の変形例として、図２６乃至３３に示すような、後面被覆部２２２'''を有するボトム衣類１０であってもよい。
具体的には、後面部１２の幅方向の中央部に中央頂部Ｖ１を有し、該中央頂部Ｖ１から両側部に向かって下がるような上縁部２２２ｂ、２２２ｂを有する上部が略三角形状の後面被覆部２２２'''であって、前記上端縁２２２ｂ、２２２ｂの側方の端部には側方頂部Ｖ２，Ｖ２を有している。中央頂部Ｖ１および側方頂部Ｖ２，Ｖ２は上端縁２２２ｂ、２２２ｂから半円形状に突出している。
また、後面被覆部２２２'''の下方側の両側端縁２２２ｃ、２２２ｃは、下部開口部１ｂ、１ｂの後側に沿って配置されている。
後面被覆部２２２'''の上端縁２２２ｂ、２２２ｂは下方に向かって凸となるような湾曲形状に形成されており、つまり、着用時に後面被覆部２２２'''が臀部の下部の丸みに中央部から側方部にかけて沿うような湾曲形状に形成されている。
【００５０】
かかる変形例のボトム衣類１０は、後面被覆部２２２'''の中央の頂部Ｖ１から両側の側方頂部Ｖ２，Ｖ２に向かう湾曲した上端縁２２２ｂ、２２２ｂによって臀部の丸みを下方から支えることができ、ヒップの形状を立体的に見せることが可能になる。
また、後面被覆部２２２'''の両側端縁２２２ｃ、２２２ｃは、下部開口部１ｂ、１ｂに沿って配置されているため、ボトム衣類１０の下部開口部１ｂ、１ｂにおいて生地が積層されて補強され、下部開口部１ｂ、１ｂの付近の生地が上方にずり上がることが抑制でき、着心地の低下をより抑制できる。
【００５１】
本実施形態のボトム衣類１０は、内布２がクロッチ被覆部２１と、本体被覆部２２とを備えており、前記本体被覆部２２は、前記後面部の少なくとも一部を覆う後面被覆部２２２を有しているため、保温性を向上させつつ、着心地の低下を抑制し、外観を損ないにくいボトム衣類において、特に臀部の保温性を向上させることができる。
【００５２】
また、本実施形態のボトム衣類１０の後面被覆部２２２が、臀部の周囲に配置されるような端縁を有している場合には、臀部の形状を整える補正下着として機能することができる。
【００５３】
（実施形態３）
本実施形態のボトム衣類１０については図３４乃至４１を参照して具体的に説明する。本実施形態のボトム衣類１０の前面部１１、後面部１２およびクロッチ部１３の構成は図１乃至９に示す実施形態１におけるボトム衣類１０と同様であるが、内布２が、クロッチ被覆部２１と本体被覆部としての前面被覆部２２１’とから構成されている点において異なる。
【００５４】
内布２の前面被覆部２２１’は、クロッチ被覆部２１の前端部２１ａから前面部１１の上端部まで配置されている。前面被覆部２２１’の上端部の幅は前面部１１の上端部の幅よりやや狭く形成されている。また、前面被覆部２２１'の両側縁２２１ｂ、２２１ｂは、前面部１１の両側縁と平行な直線として形成されており、すなわち、前面被覆部２２１’は、衣類本体１の前面部１１の内面側において、前面部１１の幅よりもやや内側において、且つ、上下方向の全長さにわたって前面部１１を覆うように構成されている。
【００５５】
また、前面被覆部２２１’の下方両側に形成される下端縁２２１ｃ、２２１ｃは下部開口部１ｂ、１ｂに沿った位置に配置されている。
【００５６】
本実施形態のボトム衣類１０は、前面部１１の内側の上下方向の全長にわたって内布２が配置されているため、着用した場合に下腹部の上下方向全体に二重に積層された部分が配置される。よって、下腹部の前方向への膨出をより押圧しやすくなり、下腹部の膨出を補正する補正下着として機能しうる。
【００５７】
また、本実施形態のボトム衣類１０は、前面被覆部２２１’の下端縁２２１ｃ、２２１ｃが前面において下部開口部１ｂ、１ｂに沿った位置に配置されているため、ボトム衣類１０の下部開口部１ｂ、１ｂにおいて生地が積層されて補強される。従って、前面側において下部開口部１ｂ、１ｂの付近の生地が上方にずり上がることが抑制され、着心地の低下をより抑制できる。
【００５８】
本実施形態において前面被覆部２２１’の形状は上述のような形状に限定されるものではない。
例えば、本実施形態の変形例のボトム衣類１０は、基本的な構成は上述のような図３４乃至４１に示すボトム衣類１０と同様であるが、図４２乃至４９に示すように、前面部１１の下方において、前面被覆部２２１''の下方両側に形成される下端縁２２１ｃ、２２１ｃが下部開口部１ｂ、１ｂの前側部分よりやや内側に配置されるように構成されている。すなわち、ボトム衣類１０の下部開口部１ｂ、１ｂの前側部分の周囲には内布２が配置されていない部分が形成されている。
【００５９】
本変形例のボトム衣類１０は、下部開口部１ｂ、１ｂの前側部分の周囲には内布２が配置されていない部分が形成されているため、生地の厚みが厚くならず足まわりの伸縮性がより向上する。よって、特に運動時など激しく動く場合に着心地が低下することを抑制できる。
【００６０】
本実施形態のボトム衣類１０は、内布２がクロッチ被覆部２１と、本体被覆部とを備えており、前記本体被覆部は、前記前面部の少なくとも一部を覆う前面被覆部２２１’’を有しているため、保温性を向上させつつ、着心地の低下を抑制し、外観を損ないにくいボトム衣類において、特に下腹部の保温性を向上させることができる。
【００６１】
また、本実施形態のボトム衣類１０の前面被覆部２２１''が、前面部１１の上下方向に渡って配置される場合には、下腹部の膨出を抑制する補正下着として機能することができる。
【００６２】
（実施形態４）
本実施形態のボトム衣類１０については図５０乃至５７を参照して具体的に説明する。本実施形態のボトム衣類１０の前面部１１、後面部１２およびクロッチ部１３の基本的な構成は実施形態１におけるボトム衣類１０と同様であるが、内布２が、クロッチ被覆部２１と本体被覆部２２とから構成されており、且つ、前記クロッチ被覆部２１と前記本体被覆部２２とが分離している点において異なる。
【００６３】
具体的には、本実施形態の内布２は、本体被覆部２２として前面被覆部２２１'''を備えており、該前面被覆部２２１'''とクロッチ被覆部２１とが別の生地から構成されている。すなわち、本実施形態の内布２は、前面被覆部２２１'''を構成する生地と、クロッチ被覆部２１を構成する生地との二枚の生地片から構成されている。
該前面被覆部２２１'''の下端縁２２１ｃは、クロッチ被覆部２１の前端部２１ａからやや上方に位置に配置されている。すなわち、前記クロッチ被覆部２１の前端部２１ａと前記前面被覆部２２１'''との間は離間している。
より具体的には、前記該前面被覆部２２１'''の下端部は、幅方向の中央部において最も下方に位置する中央部頂部Ｖ３と、該中央頂点部Ｖ３の両側に斜めに上方に向かうように構成されている直線状の下端縁２２１ｃ、２２１ｃとを含む。
【００６４】
本実施形態の前面被覆部２２１'''の両側縁は、前面部１１と後面部１２との接合位置Ａ，Ａにおいて前面部１１に接合されている。
すなわち、前面被覆部２２１'''の幅は前面部１１の幅と一致しており、前面部１１の幅方向にわたって前面被覆部２２１'''が配置されている。
【００６５】
前面被覆部２２１'''の下端縁２２１ｃ、２２１ｃは、下部開口部１ｂ、１ｂより内側にあたる位置に配置されて、ボトム衣類１０の下部開口部１ｂ、１ｂの周囲には内布２が配置されていない部分が形成されている。
【００６６】
本実施形態のボトム衣類１０は、前記クロッチ被覆部２１と本体被覆部としての前面被覆部２２１'''とが分離しているため、クロッチ被覆部２１の動きに前面被覆部２２１'''が直接連動することがなく動きにくくなるため、運動時等のようにクロッチ部１３の動きが大きくなる場合にもクロッチ被覆部２１によって衣類本体１の前面部１１が引っ張られることを抑制できる。よって、着心地が低下することをより抑制することができる。
【００６７】
また、前面被覆部２２１'''が前面部１１の幅方向にわたって配置されていることで、前面部１１上部が補強されてかかる補強により下腹部の膨出を抑制する採用が生じやすい。よって、補正下着として機能することができる。
【００６８】
本実施形態のボトム衣類１０において、クロッチ被覆部２１と前面被覆部２２１'''との位置関係は特に限定されるものではなく、例えば、図５８乃至６５に示すように、該前面被覆部２２１'''’の下端縁２２１ｃの中央部（中央頂部Ｖ３）がクロッチ被覆部２１の前端部２１ａと接するような位置に配置されていてもよい。
本変形例においては、前記クロッチ被覆部２１と前面被覆部２２１''''とは接するように配置されているが、別の生地片から構成されており、且つ、結合されておらず、すなわち分離している。
【００６９】
前記前面被覆部２２１''''の幅は、前面部１１の上端部の幅よりやや狭く形成されている。また、前面被覆部２２１''''の両側縁２２１ｂ、２２１ｂは、前面部１１の両側縁と平行になる直線に形成されており、すなわち、前面被覆部２２１''''は、衣類本体１の前面部１１の内面側において、前面部１１の幅よりもやや内側において前面部１１を覆うように構成されている。
【００７０】
本変形例のボトム衣料１０は、前記クロッチ被覆部２１と前面被覆部２２１''''とは接するように配置されているが、別の生地から構成されており、且つ、連結はされておらず、すなわち分離している。従って、クロッチ部１３の動きが大きくなる場合にもクロッチ被覆部２１によって衣類本体１の前面部１１が引っ張られることを抑制でき、よって、着心地が低下することをより抑制することができる。
【００７１】
本実施形態のボトム衣類１０は、クロッチ被覆部２１と本体被覆部とから構成されており、且つ、前記クロッチ被覆部と前記本体被覆部とが分離されている内布を備えてなるが、内布の構成はこれに限定されるものではない。
例えば、本体被覆部として後面被覆部を備えており、該後面被覆部とクロッチ被覆部とが別の生地から構成されて、クロッチ被覆部と後面被覆が連結されていないボトム衣類であってもよい。この場合には、ボトム衣類は、クロッチ被覆部の動きに後面被覆部が連動しにくくなるため、運動時等のようにクロッチ部の動きが大きくなる場合にもクロッチ被覆部によって衣類本体の後面部が引っ張られることを抑制できる。よって、着心地が低下することをより抑制することができる。
【００７２】
本実施形態のボトム衣類１０は、内布２がクロッチ被覆部２１と、本体被覆部とを備えており、前記本体被覆部は、前記前面部の少なくとも一部を覆う前面被覆部２２１''''を有しているため、保温性を向上させつつ、着心地の低下を抑制し、外観を損ないにくいボトム衣類において、特に、クロッチ被覆部と本体被覆部とが分離されていることによって、着心地の低下をより抑制しうる。
【００７３】
上述の各実施形態（各変形例を含む）において、ボトム衣類１０として女性用のショーツを例に挙げて説明したが、ボトム衣類としてはこれ限定されるものではなく、女性用、男性用を問わずに、下腹部を覆う前面部と、臀部を覆う後面部と、前記前面部と前記後面部とを下端部で連結するクロッチ部とを有する衣類本体を備えているボトム衣類であればよい。例えば、ショーツ、ガードル、水着等が挙げられる。
【００７４】
また、上述の各実施形態（各変形例を含む）において、内布２のクロッチ被覆部２１は、衣類本体１のクロッチ部１３の全面を覆う形状であるが、クロッチ被覆部２１は少なくともクロッチ部１３の一部を覆う形状であればよい。
【００７５】
さらに、上述の各実施形態（各変形例を含む）において、衣類本体１と内布２とは、内布２の周縁のみで接着により接合されているものであるが、内布と衣類本体との接合は、該接着による接合箇所以外に接合されていてもよい。
【００７６】
本実施形態にかかるボトム衣類は以上のとおりであるが、今回開示された実施形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【符号の説明】
【００７７】
１  衣類本体、１ａ  上部開口部、１ｂ  下部開口部、２  内布、１０  ボトム衣類、１１  前面部、１２  後面部、１３  クロッチ部、２１  クロッチ被覆部、２２  本体被覆部、２２１  前面被覆部、２２２  後面被覆部
【図１】
2018145586.tif 000003
【図２】
2018145586.tif 000004
【図３】
2018145586.tif 000005
【図４】
2018145586.tif 000006
【図５】
2018145586.tif 000007
【図６】
2018145586.tif 000008
【図７】
2018145586.tif 000009
【図８】
2018145586.tif 000010
【図９】
2018145586.tif 000011
【図１０】
2018145586.tif 000012
【図１１】
2018145586.tif 000013
【図１２】
2018145586.tif 000014
【図１３】
2018145586.tif 000015
【図１４】
2018145586.tif 000016
【図１５】
2018145586.tif 000017
【図１６】
2018145586.tif 000018
【図１７】
2018145586.tif 000019
【図１８】
2018145586.tif 000020
【図１９】
2018145586.tif 000021
【図２０】
2018145586.tif 000022
【図２１】
2018145586.tif 000023
【図２２】
2018145586.tif 000024
【図２３】
2018145586.tif 000025
【図２４】
2018145586.tif 000026
【図２５】
2018145586.tif 000027
【図２６】
2018145586.tif 000028
【図２７】
2018145586.tif 000029
【図２８】
2018145586.tif 000030
【図２９】
2018145586.tif 000031
【図３０】
2018145586.tif 000032
【図３１】
2018145586.tif 000033
【図３２】
2018145586.tif 000034
【図３３】
2018145586.tif 000035
【図３４】
2018145586.tif 000036
【図３５】
2018145586.tif 000037
【図３６】
2018145586.tif 000038
【図３７】
2018145586.tif 000039
【図３８】
2018145586.tif 000040
【図３９】
2018145586.tif 000041
【図４０】
2018145586.tif 000042
【図４１】
2018145586.tif 000043
【図４２】
2018145586.tif 000044
【図４３】
2018145586.tif 000045
【図４４】
2018145586.tif 000046
【図４５】
2018145586.tif 000047
【図４６】
2018145586.tif 000048
【図４７】
2018145586.tif 000049
【図４８】
2018145586.tif 000050
【図４９】
2018145586.tif 000051
【図５０】
2018145586.tif 000052
【図５１】
2018145586.tif 000053
【図５２】
2018145586.tif 000054
【図５３】
2018145586.tif 000055
【図５４】
2018145586.tif 000056
【図５５】
2018145586.tif 000057
【図５６】
2018145586.tif 000058
【図５７】
2018145586.tif 000059
【図５８】
2018145586.tif 000060
【図５９】
2018145586.tif 000061
【図６０】
2018145586.tif 000062
【図６１】
2018145586.tif 000063
【図６２】
2018145586.tif 000064
【図６３】
2018145586.tif 000065
【図６４】
2018145586.tif 000066
【図６５】
2018145586.tif 000067